(57)【要約】【課題】便座本体に洗浄機能を備え便器本体の洗浄吐水孔及び段差を無くしたことで節水し、便座部６の着座部６ａにヒーターを使用しない暖房にすることで節電する装置を提供することを目的とする。【解決手段】便器から洗浄水吐水孔１と洗浄水給水路３ならびサイホン方式の排水を無くし、別体式の排水装置２０と洗浄機能を備えた便座６、６ａを設置することで洗浄水を節水し、便座着座部内の電気ヒーターを排除し、温水により瞬間で効率的に着座部を加熱することで節電することができる。【選択図】図１
2010265737.tif 000002
【特許請求の範囲】
【請求項１】
洋式便器本体に洗浄吐水孔を有しないことを特徴とするトイレ装置。
【請求項２】
請求項１において、開口上縁環状部に段差形状を有しないことを特徴とするトイレ装置。
【請求項３】
便座部６の下部全周にわたり左右一対の上下２段洗浄水給水路７，７ａを形成しこの洗浄水給水路７ａには一定間隔毎に洗浄吐水孔１ｂを設けてあり、洗浄水給水路７には洗浄吐水口１ａを有することが特徴とするトイレ装置。
【請求項４】
便座部６の内部上段全周にわたって便座暖房給水路８を形成し加熱流体が連通するようになっており内部下段全周にわたり蓄熱材１１を有していること特徴とするトイレ装置。
【請求項５】
便座部６ａ以外の便座部本体６内部には３つの貯水タンクが収納配置してあり請求項３記載の洗浄水給水路１２に接続していることを特徴とするトイレ装置。
【請求項６】
洋式便器本体排水口に別体型排水装置２０を装着していることを特徴とするトイレ装置。
【請求項７】
洋式便器本体に別体型貯湯タンク装置２３を装着し請求項４に記載の便座暖房給水路８に接続していることを特徴とするトイレ装置。
【請求項８】
洋式便器本体に別体型バッテリー内蔵装置２９を装着していることを特徴とするトイレ装置。
【発明の詳細な説明】
【技術分野】
【０００１】  本発明は洋式トイレの洗浄水の節水ならび便座を温める時に使う電気代の節電を確実かつ効率的に行うことができ、排便時の汚水跳ねかえりを無くしトイレ掃除の手間を減らし洗浄水音の消音効果を実現できる洋式トイレ装置に関するものである。
【背景技術】
【０００２】  従来の洋式トイレは露出タンク式でトイレ洗浄面より上部に設置されており、落差を利用し多量の洗浄水でトイレ洗浄や排水をしていた。また最近の洋式トイレは露出タンク式に変わり水道直圧式やタンク内蔵型があり（例えば、非特許文献１参照）、トイレ洗浄をする場合トイレ洗浄面を洗浄水がうずまき状に勢いよく旋回（例えば、非特許文献２参照）させ排水することで少ない水量でトイレ洗浄や排水をしているサイホンゼット方式（例えば、非特許文献３参照）のものや、ターントラップ方式（例えば、非特許文献４参照）のものがある。【０００３】  また便座を暖める方式では、電気を常時使用しヒーターで便座を暖めていたが、最近の便座は使用時、急速に電気ヒーターで暖めるものもある。（例えば、非特許文献５参照）
【先行技術文献】
【非特許文献】
【０００４】
【非特許文献１】  「ＴＯＴＯ  レストルーム  わが家のトイレ２００８．７  カタログＮｏ．１４０１」ＴＯＴＯ株式会社，２００８，ｐ．４０
【非特許文献２】  「ＴＯＴＯ  レストルーム  わが家のトイレ２００８．７  カタログＮｏ．１４０１」ＴＯＴＯ株式会社，２００８，ｐ．３０
【非特許文献３】  「ＴＯＴＯ  レストルーム  わが家のトイレ２００８．７  カタログＮｏ．１４０１」ＴＯＴＯ株式会社，２００８，ｐ．４０
【非特許文献４】  「パナソニック電工  全自動おそうじトイレアラウーノ２００９．２」パナソニック電工株式会社，２００９年，ｐ．８
【非特許文献５】  「パナソニック電工  全自動おそうじトイレアラウーノ２００９．２」パナソニック電工株式会社，２００９年，ｐ．８
【発明の概要】
【発明が解決しようとする課題】
【０００５】  従来の洗浄方式は洗浄面５に多量の溜水があり、排水時には露出型タンクのタンク水を排水し落差を利用することで水圧を発生させ洗浄水給水路３を経由し洗浄吐水孔１より洗浄面５を洗浄し排水するものや、水道圧による水圧を利用し洗浄水を洗浄面段差４を経由し溜水に渦巻きを発生させ洗浄面５を洗浄しかつ排水をおこなうサイホン又はサイホンゼット方式やターントラップ方式があるが、いずれの方式も汚物を排出するために大量の水を使用している。また使用する水が多ければ排水音も大きくなる。上記のことから排水のために使用する水はその水でさえも限りある水資源を考慮すればより節水型の実現が望ましく、洗浄水及び溜水を最小限に減らし、汚物を確実かつ効率よく排出することが好ましい。しかし洗浄水を節水しても節水以外に便座に関する節電では、従来の便座ヒーターは無使用時も便座を暖めているためヒーターの電源が常時入っている。そのため無駄な電気を常時使用してるため電気代が無駄になっている。また無使用時には電源が切れるタイプの便座は、使用時、急速にヒーターで便座を暖めるため電気消費量が多く節電の改良が必要である。【０００６】  以上の通りの事情に鑑みて、本発明は従来の問題点を解消し節水及び節電を実現できるトイレ装置を提供することを課題とするものである。
【課題を解決するための手段】
【０００７】  上記問題点を解決するために、請求項１に記載の発明は洗浄吐水孔１を有しない洋式便器本体２である。開口上縁部のリム部全周にわたって洗浄吐水孔１が無いため洋式便器本体２から独自に洗浄水を排出しないことを要旨とするものである。【０００８】  請求項２に記載の発明は請求項１において、洋式便器本体２より洗浄吐水孔から排出するための洗浄水を通す洗浄水給水路３及び水道圧を利用し洗浄水を旋回させる洗浄面段差４を有せず、緩やかな傾斜を有する洗浄面５であることを要旨するものである。【０００９】  請求項３に記載の発明は請求項１において有しない洗浄吐水孔１を起立自在の便座部６の下部全周にわたり左右同一形状の洗浄吐水孔１ａを有していることを要旨とするものであり、便座部６内部の洗浄水給水口１２より連通して便座部６内部より外部に露出した洗浄吐水孔１ａまでの全周にわたり上下２段式の分離，非分離型のどちらでもよい洗浄水給水路７，７ａを形成している。洗浄水給水路７は洗浄吐水孔１ａまで連通しており洗浄吐水孔１ａまで抵抗なしに洗浄水が排出されるように形成されている、また洗浄水給水路７ａは洗浄水給水路７の上部に形成されており、洗浄水給水路７より左右に幅広く形成され洗浄吐水孔１ａまでの全周にわたり左右非対称に洗浄吐水孔１ｂが一定間隔毎に形成されている。洗浄水給水路７ａも洗浄吐水孔１ａまで連通しているが洗浄吐水孔１ａ上部で抵抗がかかるよう行き止まるよう形成されていることを要旨とする。【００１０】  請求項４に記載の発明は便座部６ａの内部上端全周にわたり便座暖房給水路８が形成され加熱流体流入口９より加熱流体が流入連通し加熱流体流出口１０より加熱流体全てが流出するよう形成されていることを要旨とし、便座部６内部下端全周には蓄熱材１１が敷設収納されていることを要旨とする。【００１１】  請求項５に記載の発明は便座部本体６内部に３つの貯水タンク１３，１４，１５，が収納配置されていることを要旨とし、貯水タンク１３，１４上部の間には貯水タンクの排水をおこなう排水制御モーター１６が設置されていることを要旨とし、排水制御モーター１６以外に貯水タンク１５の排水をおこなう排水制御モーター１７が設置されている。全ての排水は給水管１８に集約され洗浄給水口１２に接続していることを要旨とする。【００１２】  請求項６に記載の発明は洋式便器本体２の後方にある排水口１９に接続する別体型排水装置２０であり別体型排水装置２０内部上端には排水制御装置２１と排水装置２２を収納配置し、下端には開閉装置２７，２８，４１，４２を設置したことを要旨とする。【００１３】  請求項７に記載の発明は洋式便器本体２の後方に接続する別体型貯湯タンク装置２３であり、請求項４に記載の便座部６の内部に形成された便座暖房給水路８に供給するための加熱流体を貯湯する沸騰保温型貯湯タンク２４が収納配置しており加熱流体配水ポンプ２５から加熱流体配水管２６を通じ加熱流体流入口９へ接続し、加熱流体が循環され加熱流体流出口１０から全て貯湯タンク２４へ戻るようにしていることを要旨とする。【００１４】  請求項８に記載の発明は洋式便器本体２の後方に接続する別体型バッテリー内蔵装置２９であり内部は上端に充電装置３０と��ッテリー４５を装備し、ソーラーパネル４４により自己充電を行うことを要旨とし、下端は水道管と接続処理できるように空室としていることを要旨とする。
【発明の効果】
【００１５】  本発明の洋式トイレ装置は洗浄水を抑えることができるため節水でき、節水することで消音も効果も発揮するものである。【００１６】  また、便座にヒーターを設置していないため余分な電気を使用しなくて済むため節電できる洋式トイレ装置を提供できる。
【図面の簡単な説明】
【００１７】
【図１】本発明の実施形態を示す洋式トイレ装置本体一部の便座及び便器を断面図とした全体の外観図である。
【図２】同洋式トイレ装置の便器本体の断面図である。
【図３】（ａ）は同上の便座設置状態の一部を示す部分拡大斜面図、（ｂ）、（ｃ）従来例を示す部分拡大斜視図である。
【図４】便座の平面図である。
【図５】便座を示す１部破断した側面図である。
【図６】洋式トイレ装置の斜視図である。
【図７】図６における便座部分におけるＢ−Ｂ線断面図である。
【図８】図５における便座部分におけるＣ−Ｃ線断面図である。
【図９】図８における便座部を示す１部破断した側面図である。
【図１０】洋式トイレ装置の便座部分と３つの上蓋を取外した状態の斜視図である。
【図１１】同上の平面図
【図１２】別体型貯湯タンク装置の実線断面図に便座と便器を点線状で設置した状態の断面図である。
【図１３】別体型排水装置の実線断面図に便座と便器を点線状で設置した状態の断面図である。
【図１４】排水形態が異なる別体型排水装置の実線断面図に便座と便器を点線状で設置した状態の断面図である。
【図１５】別体型バッテリー内蔵装置の実線断面図に便座と便器を点線状で設置した状態の断面図である。
【発明を実施するための形態】
【００１８】  以下、本発明の実施の形態を図１〜図１５に基づいて説明する。
図１に示されるように洋式便器本体２と、別体型貯湯タンク装置２３から横に連結している別体型排水装置２０ならびに別体型バッテリー内蔵装置２９の上部に載設されている便座部本体６とで主体が構成されている。
【００１９】    図２に示すように洋式便器本体２内部の洗浄面５は排便時の便の付着を無くすために段差や凹凸を設けておらず、少量の水で便が流れ排水できるよう緩やかに直線状の傾斜が排水口１９まで続くように形成されている。また図３ｃに示すように洗浄面段差４や排水口１９付近に凹凸を設けていないことで洗浄水が万遍なく均一に流れるよう形成されている。
【００２０】    図３に示すように洋式便器本体２の開口上縁部には洗浄水が流れ出るような洗浄水吐水孔１や、洗浄水給水路３を設けておらず洋式便器本体外壁２ａと洗浄面５の上部が重合された状態となっている。
【００２１】  図１，図４，図５に示すように起立自在の便座部６ａの下部には全周にわたり左右同一形状で複数の洗浄水吐水孔１ｂを設けており、便座部６ａ内部の洗浄水給水口１２より連通して便座部６ａ内部より外部に露出した左右の洗浄水吐水孔１ａまでの全周にわたり上下２段式の分離，非分離型のどちらでもよい洗浄水給水路７，７ａを設けている。洗浄水給水路７は下段であり洗浄水吐水孔１ａまで連通しており洗浄水吐水孔１ａまで抵抗なしに洗浄水が排出されるように形成されている、また洗浄水給水路７ａは洗浄水給水路７の上段に形成されており、洗浄水給水路７より左右に幅広く形成され洗浄水吐水孔１ａまでの全周にわたり左右非対称に洗浄水吐水孔１ｂが一定間隔毎に形成されている。洗浄水給水路７ａも洗浄水吐水孔１ａまで連通しているが洗浄水吐水孔１ａ上部で洗浄水に抵抗がかかるよう行き止まるよう形成され、洗浄水吐水孔１ａから洗浄水が排水されるよう形成されている。
【００２２】  図６，図７に示すように便座部本体６内部には貯水タンク１３，１４，１５が並列収納配置されており便座部本体６に設置の人体センサー３１が人体のトイレ入室を感知すると、排水制御モーター１６が貯水タンク１３の内部にある貯水タンク排水栓１３ａを開放させるよう制御されている。また、貯水タンク１３内に貯水されていた水は給水管１８及び、便座部６ａ内の洗浄水給水口１２内を経由し洗浄水給水路７，７ａを通過し洗浄水吐水孔１ａ，１ｂから洗浄面５に排水され洗浄面５が水に濡れることで水膜ができ、人から排出される大便や小便の汚れの付着を極力回避軽減できる。
【００２３】  人体センサー３１が人体のトイレ退室を確認すると、排水制御モーター１７が作動し貯水タンク１５内に貯水されている水を給水管１８及び便座部６ａ内の洗浄水給水口１２内を経由し高圧にて洗浄水給水路７，７ａを通過し洗浄水吐水孔１ａ，１ｂから洗浄面５に排水され洗浄面５を洗浄する。洗浄後は洗浄水給水管４７から各タンクへ洗浄水が給水される。
【００２４】  洗浄面５に排便時汚れが付着していないか便座部本体６に設置の汚れ感知センサー３２が検知する。検知した結果、汚れの付着があれば再度洗浄面５を洗浄する。また、汚れの付着が検知されない場合、排水制御モーター１６が作動し貯水タンク１４内の貯水タンク排水栓１４ａを開放させるよう制御され、貯水タンク内の水を洗浄面５に貯溜するようになっている。
【００２５】  図１，図８，図９に示すように起立自在の便座部６ａ内部上段には全周にわたり熱伝導率が高い金属で扁平状の空洞に形成された便座暖房給水路８が収納配置されており、人体センサー３１が人体のトイレ入室を感知すると加熱流体給水口９より加熱流体が流入、便座暖房給水路８を加熱しながら循環し、加熱流体排水口１０より加熱流体が排出されるよう形成されている。
【００２６】  加熱流体が流れている間に便座暖房給水路８の下段に密着配置された蓄熱材１１が加熱流体によって加温され、金属で形成された便座暖房給水路８を冷めにくい状態に形成されている。
【００２７】  図１，図１０に示すように別体型貯湯タンク装置２３は別体型排水装置２０と別体型バッテリー内蔵装置２９が並列に接続された状態で構成されており、接続された３つの別体型装置は洋式便器本体２に接続されるよう形成されており、３つの別体型装置の上部には便座部本体６が載置できるよう形成され、洋式便器本体２の背部ある昇降用案内板３３に接続できるように形成されている。
【００２８】  図１１，図１２に示すように別体型貯湯タンク装置２３内部は上下２層室式に形成され貯湯タンク下層室３５には加熱流体を沸かし保温できる沸騰保温型貯湯タンク２４が収納配置され沸騰保温型貯湯タンク下部には加熱流体配水ポンプ２５が設置されており加熱流体配水管２６が貯湯タンク上層室３４まで配管設備されている。また貯湯タンク下層室は沸騰保温型貯湯タンク２４の周囲を保温材３７で隙間無く密閉されている。
【００２９】  貯湯タンク上層室３４の外壁３６は脱着式となっており便座部本体６の加熱流体給水口９、加熱流体排水口１０が貯湯タンク上層室３４で接続できる空間を形成している。
【００３０】  図１０，図１３に示すように別体型排水装置２０は並列に接続された真中に配置されており、洋式便器本体２の排水口１９と別体型排水装置２０の排水接続口３８が接続される別体型排水装置２０は上下２層式に形成されおり、排水装置下層室４０には上部から下部にかけテーパー状の排水ゲートバルブ４１が設置され、排水装置上層室３９に設置の排水装置２２と接続しており上下に開閉される。ゲートバルブ誘導板４２は排水接続口３８に設置されており、上部から下部にかけテーパー状に狭くなる構造であり確実に閉まる構造である。排水ゲートバルブ４１には補助板車４３が溶接による接着がされており洋式便器本体２内の洗浄水等の圧力を受け止め排水ゲートバルブ４１と排水接続口３８に隙間ができ水漏れしないようゲートバルブ誘導板４２と２重の対策を講じている。
【００３１】  図１４に示すように別体型排水装置２０ａは排水をゲートバルブ方式とは異なる排水栓方式とし排水栓装置２８を設けることもできる。排水栓装置２８は前後にシリンダーで開閉する。排水栓装置の先端にはバネ内蔵排水栓２７が配置されシリンダーの圧力とバネの圧力で水漏れしないようにしている。
【００３２】  図１５に示すように別体型バッテリー内蔵装置２９は上下２層式に形成され、上層室には充電装置３０とバッテリー４５が内蔵されており本発明の電力の補助を行う、バッテリー４５は深夜電力また、ソーラーパネル４４にて自己充電するようになっており、下層室は水道管と接続できる空間を形成している。
【符号の説明】１…洗浄水吐水孔、２…洋式便器本体、５…洗浄面、６…便座部本体、７…洗浄給水路、８…便座暖房給水路、２０…別体型排水装置、２３…別体型貯湯タンク装置、２９…別体型バッテリー内蔵装置
【図１】
2010265737.tif 000003
【図２】
2010265737.tif 000004
【図３】
2010265737.tif 000005
【図４】
2010265737.tif 000006
【図５】
2010265737.tif 000007
【図６】
2010265737.tif 000008
【図７】
2010265737.tif 000009
【図８】
2010265737.tif 000010
【図９】
2010265737.tif 000011
【図１０】
2010265737.tif 000012
【図１１】
2010265737.tif 000013
【図１２】
2010265737.tif 000014
【図１３】
2010265737.tif 000015
【図１４】
2010265737.tif 000016
【図１５】
2010265737.tif 000017
【手続補正書】
【提出日】平成21年6月17日(2009.6.17)
【手続補正１】
【補正対象書類名】明細書
【補正対象項目名】００１３
【補正方法】変更
【補正の内容】
【００１３】  請求項７に記載の発明は洋式便器本体２の後方に接続する別体型貯湯タンク２３であり、請求項４に記載の便座部６の内部に形成された便座暖房給水路８に供給するための加熱流体を貯湯する沸騰保温型貯湯タンク２４を収納配置し貯湯タンク内に不凍液を入れ加熱流体として循環に使用、保温時は設定温度最高５０度までの間で温度調整が可能な沸騰保温型貯湯タンク２４で保温されており沸騰保温型貯湯タンク２４の形状は便座の容量に合ったタンクに変形、変更することを要旨とし、加熱流体排水ポンプ２５から加熱流体配水管２６を通じ加熱流体流入口９へ接続、加熱流体が循環され加熱流体流出口１０から全て貯湯タンク２４へ戻る様にしていることを要旨とする。
【手続補正２】
【補正対象書類名】明細書
【補正対象項目名】００２５
【補正方法】変更
【補正の内容】
【００２５】  図１，図８，図９に示すように起立自在の便座部６ａ内部上段には全周にわたり熱伝導率が高い金属で扁平状の空洞に形成された便座暖房給水路８が収納配置され、加熱流体給水口９より加熱流体が流入、便座暖房給水路８を加熱しながら循環し加熱流体排出口１０より加熱流体が排出されるよう形成されており、人体センサー３１が人のトイレ入室を感知すると沸騰保温型貯湯タンク２４で最高５０度に保温されている加熱流体は人が着座するまでの間に便座暖房給水路８を数回循環し設定温度まで便座を温めることで沸騰保温型貯湯タンク２４は、沸騰温度を自動的に切替え３２度位の温度で加熱流体を加熱し、人が着座している間は加熱流体が便座温度を冷めないよう加熱流体を循環している。
【手続補正３】
【補正対象書類名】図面
【補正対象項目名】図１１
【補正方法】変更
【補正の内容】
【図１１】
2010265737.tif 000018